【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  顔の画像を撮影する撮影手段と、
この撮影手段により撮影した顔の画像から顔を構成する所定の部位を検出する検出手段と、
この検出手段により検出した顔の部位の位置から顔の中心位置を判断する判断手段と、
この判断手段により判断した顔の中心位置を基準とする画像を生成する生成手段と、
を具備したことを特徴とする撮影機。
【請求項２】  顔の画像を撮影する撮影手段と、
この撮影手段により撮影した顔の画像から顔の輪郭を検出する第１の検出手段と、
この第１の検出手段により検出した顔の輪郭内で顔を構成する所定の部位を検出する第２の検出手段と、
この第２の検出手段により検出した顔の部位の位置から顔の中心位置を判断する判断手段と、
この判断手段により判断した顔の中心位置を基準とする画像を生成する生成手段と、
を具備したことを特徴とする撮影機。
【請求項３】  顔の画像を撮影する撮影手段と、
この撮影手段により撮影した顔の画像から顔の輪郭を検出する第１の検出手段と、
この第１の検出手段により検出した顔の輪郭内で顔を構成する所定の部位を検出する第２の検出手段と、
この第２の検出手段により所定の部位が検出できた場合に、上記第２の検出手段により検出した所定の部位から顔の中心位置を判断する第２の判断手段と、
上記第２の検出手段により所定の部位が検出できなかった場合に、上記第１の検出手段により検出した顔の輪郭の中心位置を判断する第３の判断手段と、
上記第２の判断手段あるいは上記第３の判断手段により判断した中心位置を基準とする画像を生成する生成手段と、
を具備したことを特徴とする撮影機。
【請求項４】  顔の画像を撮影する撮影手段と、
この撮影手段により撮影した顔の画像から瞳の位置を検出する検出手段と、
この検出手段により検出した瞳の位置から顔の中心位置を判断する判断手段と、
この判断手段により判断した顔の中心位置を基準とする画像を生成する生成手段と、
を具備したことを特徴とする撮影機。
【請求項５】  顔の画像を撮影する撮影手段と、
この撮影手段により撮影した顔の画像から顔の輪郭を検出する第１の検出手段と、
この検出手段により検出した顔の輪郭内で顔を構成する瞳の位置を検出する第２の検出手段と、
この第２の検出手段により検出した顔の瞳の位置から顔の中心位置を判断する判断手段と、
この判断手段により判断した顔の中心位置を基準とする画像を生成する生成手段と、
を具備したことを特徴とする撮影機。
【請求項６】  顔の画像を撮影する撮影手段と、
この撮影手段により撮影した顔の画像から顔の輪郭を検出する第１の検出手段と、
この第１の検出手段により検出した顔の輪郭内で顔を構成する瞳の位置を検出する第２の検出手段と、
この第２の検出手段により瞳の位置が検出できた場合に、上記第２の検出手段により検出した瞳の位置から顔の中心位置を判断する第２の判断手段と、
上記第２の検出手段により瞳の位置が検出できなかった場合に、上記第１の検出手段により検出した顔の輪郭の中心位置を判断する第３の判断手段と、
上記第２の判断手段あるいは上記第３の判断手段により判断した中心位置を基準とする画像を生成する生成手段と、
を具備したことを特徴とする撮影機。
【請求項７】  顔の画像を撮影し、
この撮影した顔の画像から顔を構成する所定の部位を検出し、
この検出した顔の部位から顔の中心位置を判断し、
この判断した顔の中心位置を基準とする画像を生成する、
ことを特徴とする画像生成方法。
【請求項８】  顔の画像を撮影し、
この撮影した顔の画像から顔の輪郭を検出し、
この検出した顔の輪郭内で顔を構成する所定の部位を検出し、
この検出した顔の部位から顔の中心位置を判断し、
この判断した顔の中心位置を基準とする画像を生成する、
ことを特徴とする画像生成方法。
【請求項９】  顔の画像を撮影し、
この撮影した顔の画像から顔の輪郭を検出し、
この検出した顔の輪郭内で顔を構成する所定の部位を検出し、
上記所定の部位が検出できた場合に、上記検出した所定の部位から顔の中心位置を判断し、
上記所定の部位が検出できなかった場合に、上記検出した顔の輪郭の中心位置を判断し、
上記所定の部位から判断した中心位置、あるいは上記顔の輪郭から判断した中心位置を基準とする画像を生成する、
ことを特徴とする画像生成方法。
【請求項１０】  顔の画像を撮影し、
この撮影した顔の画像から瞳の位置を検出し、
この検出した瞳の位置から顔の中心位置を判断し、
この判断した顔の中心位置を基準とする画像を生成する、
ことを特徴とする画像生成方法。
【請求項１１】  顔の画像を撮影し、
この撮影した顔の画像から顔の輪郭を検出し、
この検出した顔の輪郭内で顔を構成する瞳の位置を検出し、
この検出した顔の瞳の位置から顔の中心位置を判断し、
この判断した顔の中心位置を基準とする画像を生成する、
ことを特徴とする画像生成方法。
【請求項１２】  顔の画像を撮影し、
この撮影した顔の画像から顔の輪郭を検出し、
この検出した顔の輪郭内で顔を構成する瞳の位置を検出し、
上記瞳の位置が検出できた場合に、上記検出した瞳の位置から顔の中心位置を判断し、
上記瞳の位置が検出できなかった場合に、上記検出した顔の輪郭の中心位置を判断し、
上記瞳の位置から判断した中心位置、あるいは上記顔の輪郭から判断した中心位置を基準とする画像を生成する、
を具備したことを特徴とする画像生成方法。
【手続補正２】
【補正対象書類名】明細書
【補正対象項目名】０００４
【補正方法】変更
【補正の内容】
【０００４】
【発明が解決しようとする課題】
上記したように、撮影した画像から出力画像の切り出しを自動で行う撮影機において、髪型などにより出力画像の切り出し位置がずれ、顔の中心が画像の中心にならない画像を生成してしまうという欠点を除去したもので、撮影した画像から出力画像の切り出しを自動で行う撮影機において、髪型などにより出力画像の切り出し位置がずれることなく、顔の中心を基準とした画像を安定して生成することが出来る撮影機と画像生成方法を提供することを目的とする。
【手続補正３】
【補正対象書類名】明細書
【補正対象項目名】０００５
【補正方法】変更
【補正の内容】
【０００５】
【課題を解決するための手段】
この発明の撮影機は、顔の画像を撮影する撮影手段、この撮影手段により撮影した顔の画像から顔を構成する所定の部位を検出する検出手段、この検出手段により検出した顔の部位の位置から顔の中心位置を判断する判断手段、およびこの判断手段により判断した顔の中心位置を基準とする画像を生成する生成手段から構成されている。
【手続補正４】
【補正対象書類名】明細書
【補正対象項目名】０００６
【補正方法】変更
【補正の内容】
【０００６】
この発明の撮影機は、顔の画像を撮影する撮影手段、この撮影手段により撮影した顔の画像から顔の輪郭を検出する第１の検出手段、この第１の検出手段により検出した顔の輪郭内で顔を構成する所定の部位を検出する第２の検出手段、この第２の検出手段により検出した顔の部位の位置から顔の中心位置を判断する判断手段、およびこの判断手段により判断した顔の中心位置を基準とする画像を生成する生成手段から構成されている。
【手続補正５】
【補正対象書類名】明細書
【補正対象項目名】０００７
【補正方法】変更
【補正の内容】
【０００７】
この発明の撮影機は、顔の画像を撮影する撮影手段、この撮影手段により撮影した顔の画像から顔の輪郭を検出する第１の検出手段、この第１の検出手段により検出した顔の輪郭内で顔を構成する所定の部位を検出する第２の検出手段、この第２の検出手段により所定の部位が検出できた場合に、上記第２の検出手段により検出した所定の部位から顔の中心位置を判断する第２の判断手段、上記第２の検出手段により所定の部位が検出できなかった場合に、上記第１の検出手段により検出した顔の輪郭の中心位置を判断する第３の判断手段、および上記第２の判断手段あるいは上記第３の判断手段により判断した中心位置を基準とする画像を生成する生成手段から構成されている。
【手続補正６】
【補正対象書類名】明細書
【補正対象項目名】０００８
【補正方法】変更
【補正の内容】
【０００８】
この発明の撮影機は、顔の画像を撮影する撮影手段、この撮影手段により撮影した顔の画像から瞳の位置を検出する検出手段、この検出手段により検出した瞳の位置から顔の中心位置を判断する判断手段、およびこの判断手段により判断した顔の中心位置を基準とする画像を生成する生成手段から構成されている。
【手続補正７】
【補正対象書類名】明細書
【補正対象項目名】０００９
【補正方法】変更
【補正の内容】
【０００９】
この発明の撮影機は、顔の画像を撮影する撮影手段、この撮影手段により撮影した顔の画像から顔の輪郭を検出する第１の検出手段、この検出手段により検出した顔の輪郭内で顔を構成する瞳の位置を検出する第２の検出手段、この第２の検出手段により検出した顔の瞳の位置から顔の中心位置を判断する判断手段、およびこの判断手段により判断した顔の中心位置を基準とする画像を生成する生成手段から構成されている。
【手続補正８】
【補正対象書類名】明細書
【補正対象項目名】００１０
【補正方法】変更
【補正の内容】
【００１０】
この発明の撮影機は、顔の画像を撮影する撮影手段、この撮影手段により撮影した顔の画像から顔の輪郭を検出する第１の検出手段、この第１の検出手段により検出した顔の輪郭内で顔を構成する瞳の位置を検出する第２の検出手段、この第２の検出手段により瞳の位置が検出できた場合に、上記第２の検出手段により検出した瞳の位置から顔の中心位置を判断する第２の判断手段、上記第２の検出手段により瞳の位置が検出できなかった場合に、上記第１の検出手段により検出した顔の輪郭の中心位置を判断する第３の判断手段、および上記第２の判断手段あるいは上記第３の判断手段により判断した中心位置を基準とする画像を生成する生成手段から構成されている。
【手続補正９】
【補正対象書類名】明細書
【補正対象項目名】００３５
【補正方法】変更
【補正の内容】
【００３５】
【発明の効果】
以上詳述したように、この発明によれば、撮影した画像から出力画像の切り出しを自動で行う撮影機において、髪型などにより出力画像の切り出し位置がずれることなく、顔の中心を基準とした画像を安定して生成することが出来る撮影機と画像生成方法を提供できる。